(57)【要約】  無線通信方法は、ゼロパワー（ＺＰ）参照信号（ＲＳ）又は干渉測定リソース（ＩＭＲ）として動的に指定されたリソースを示す情報を基地局（ＢＳ）からユーザ装置（ＵＥ）へ送信することと、該情報を用いてＺＰ  ＲＳ又はＩＭＲをＵＥがＢＳから受信することを具備する。ＢＳは、下りリンク制御情報（ＤＣＩ）及び媒体アクセス制御（ＭＡＣ）制御エレメント（ＣＥ）の内の少なくとも１つを用いて該情報を送信する。複数のリソースブロック（ＲＢ）の各々はリソースを含み、複数のＲＢの内の一部は、周波数多重化されるリソースを含む。無線通信方法は、複数のＲＢの内の一部を示す周波数多重化情報をＢＳがＵＥに通知することを更に具備する。ＵＥは、該周波数多重化情報を用いてＺＰ  ＲＳ又はＩＭＲを受信する。
2020503708.tif 000002
【特許請求の範囲】
【請求項１】
ゼロパワー（ＺＰ）参照信号（ＲＳ）又は干渉測定リソース（ＩＭＲ）として動的に指定されたリソースを示す情報を基地局（ＢＳ）からユーザ装置（ＵＥ）へ送信することと、
前記情報を用いて前記ＺＰ  ＲＳ又は前記ＩＭＲを前記ＵＥが前記ＢＳから受信すること、
を具備する、無線通信方法。
【請求項２】
前記送信することは、下りリンク制御情報（ＤＣＩ）及び媒体アクセス制御（ＭＡＣ）制御エレメント（ＣＥ）の内の少なくとも１つを用いて前記情報を送信する、請求項１に記載の無線通信方法。
【請求項３】
前記送信することは、無線リソース制御（ＲＲＣ）シグナリングを用いて前記情報を送信する、請求項２に記載の無線通信方法。
【請求項４】
複数のリソースブロック（ＲＢ）の内の一部は前記リソースをそれぞれ含み、
前記リソースは周波数多重化される、請求項１に記載の無線通信方法。
【請求項５】
前記複数のＲＢの内の前記一部を示す周波数多重化情報を前記ＢＳが前記ＵＥに通知することを更に具備し、
前記受信することは、前記周波数多重化情報を用いて前記ＺＰ  ＲＳ又は前記ＩＭＲを受信する、請求項４に記載の無線通信方法。
【請求項６】
前記複数のＲＢの内の前記一部のＲＢ番号は偶数又は奇数の何れかである、請求項４に記載の無線通信方法。
【請求項７】
前記通知することは、前記周波数多重化情報をＲＲＣシグナリングを用いて通知する、請求項４に記載の無線通信方法。
【請求項８】
前記リソースは、１リソースエレメント（ＲＥ）を一単位として指定される、請求項１に記載の無線通信方法。
【請求項９】
前記情報は、前記リソースをビットマップフォーマットとして示す、請求項８に記載の無線通信方法。
【請求項１０】
前記リソースは、１ポートのチャネル状態情報（ＣＳＩ）−ＲＳマッピング構成で用いられる所定のリソースから指定される、請求項９に記載の無線通信方法。
【請求項１１】
前記リソースは、２ＲＥを一単位として指定される、請求項１に記載の無線通信方法。
【請求項１２】
前記情報は、前記リソースをビットマップフォーマットとして示す、請求項１１に記載の無線通信方法。
【請求項１３】
前記リソースは、複数のＣＳＩ−ＲＳが前記ＢＳの２アンテナポートにマッピングされる２ポートＣＳＩ−ＲＳマッピング構成で用いられる４０のリソースから指定される、請求項１１に記載の無線通信方法。
【請求項１４】
ゼロパワー（ＺＰ）参照信号（ＲＳ）又は干渉測定リソース（ＩＭＲ）を基地局（ＢＳ）からユーザ装置（ＵＥ）へ送信することを具備し、
複数のリソースブロック（ＲＢ）の内の一部は前記ＺＰ  ＲＳ又は前記ＩＭＲとしてそれぞれ指定されたリソースを含み、
前記リソースは周波数多重化される、無線通信方法。
【請求項１５】
前記複数のＲＢの前記一部を示す周波数多重化情報を前記ＢＳが前記ＵＥに通知することと、
前記周波数多重化情報を用いて前記ＺＰ  ＲＳ又は前記ＩＭＲを前記ＵＥが受信すること、を更に具備し、
前記複数のＲＢの前記一部のＲＢ番号は偶数又は奇数の何れかである、請求項１４に記載の無線通信方法。
【請求項１６】
チャネル状態情報参照信号（ＣＳＩ−ＲＳ）を基地局（ＢＳ）の１アンテナポートを用いて前記ＢＳからユーザ装置（ＵＥ）へ送信することと、
前記ＣＳＩ−ＲＳを前記ユーザ装置（ＵＥ）が受信すること、を具備し、
リソースブロック（ＲＢ）のアンテナポート毎のリソースの数は１である、無線通信方法。
【請求項１７】
前記１アンテナポートに１リソースがマッピングされ、
前記無線通信方法は、
前記１アンテナポートにマッピングされた前記リソースを示す情報を前記ＢＳから前記ＵＥへ送信すること、を更に具備する、請求項１７に記載の無線通信方法。
【請求項１８】
前記情報は、従来のＬＴＥ−Ａｄｖａｎｃｅｄ標準でのＣＲＳ−ＲＳ送信に利用可能な第２のリソースの内の第１のリソースを示し、
前記第１のリソースは、前記１アンテナポートにマッピングされた前記リソースに使用される、請求項１８に記載の無線通信方法。
【請求項１９】
前記情報は、従来のＣＳＩ−ＲＳ構成で指定された２リソースの内の１つを示し、
前記２リソースの内の前記１つは、前記１アンテナポートにマッピングされた前記リソースに使用される、請求項１７に記載の無線通信方法。
【請求項２０】
複数のリソースは複数のアンテナポートにマッピングされ、
前記複数のリソースに符号分割多重化（ＣＤＭ）が適用される、請求項１７に記載の無線通信方法。
【発明の詳細な説明】
【技術分野】
【０００１】
本発明は、一般的に、無線通信方法に関し、より詳細には、無線通信システムにおけるチャネル状態情報−参照信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）、ゼロパワー（ＺＰ）ＣＳＩ−ＲＳ、及び干渉測定リソース（ＩＭＲ：Ｉｎｔｅｒｆｅｒｅｎｃｅ  Ｍｅａｓｕｒｅｍｅｎｔ  Ｒｅｓｏｕｒｃｅ）を多重化する方法に関する。
【背景技術】
【０００２】
Ｌｏｎｇ  Ｔｅｒｍ  Ｅｖｏｌｕｔｉｏｎ−  Ａｄｖａｎｃｅｄ  （ＬＴＥ−Ａ）標準は、下りリンクのチャネル推定用の参照信号である、最大１６のアンテナポート（ＡＰ）を用いるチャネル状態情報−参照信号（ＣＳＩ−ＲＳ）をサポートする。ＡＰ番号“１５”〜“３０”は、ＣＳＩ−ＲＳの送信に使用される。図１Ａ、図１Ｂ、図１Ｃ、及び図１Ｄは、従来のＬＴＥ標準に従った、２、４、８、及び１ポートのＣＳＩ−ＲＳにマッピングされたリソースエレメント（ＲＥ）をそれぞれ示す図である。図１Ａ〜図１Ｄに示すように、一方の軸は周波数領域を指し、他方の軸は時間領域を指す。各ブロックはリソースブロック（ＲＢ）内のＲＥに対応し、ＡＰ番号付きのハッチングされたＲＥは、ＣＳＩ−ＲＳ送信用のＡＰにマッピングされている。２、４、８、１２、及び１６ポートのＣＳＩ−ＲＳ送信では、複数のＣＳＩ−ＲＳリソースは、出力増大のために、周波数分割多重化（ＦＤＭ）、時分割多重化（ＴＤＭ）、及び符号分割多重化（ＣＤＭ）を用いて多重化される。一方、１ポートのＣＳＩ−ＲＳ送信では、複数のＣＳＩ−ＲＳリソースは、ＦＤＭ及びＴＤＭを用いて多重化される。
【０００３】
さらに、図１Ａに示すように、２ポートのＣＳＩ−ＲＳ送信では、ＡＰ番号“１５”及び“１６”は２ＲＥにマッピングされる。図１Ｂに示すように、４ポートのＣＳＩ−ＲＳ送信では、ＡＰ番号“１５”〜“１８”は４ＲＥにマッピングされる。図１Ｃに示すように、８ポートのＣＳＩ−ＲＳ送信では、ＡＰ番号“１５”〜“２２”は８ＲＥにマッピングされる。したがって、２、４、及び８ポート（並びに１２及び１６ポート）のＣＳＩ−ＲＳ送信では、ＣＳＩ−ＲＳリソースのリソース密度は、各ＲＢについてＡＰ毎に１ＲＥ（１ＲＥ／ＡＰ／ＲＢ）である。一方、図１Ｄに示すように、１ポートのＣＳＩ−ＲＳ送信では、ＡＰ番号“１５”は２ＲＥにマッピングされる。したがって、１ポートのＣＳＩ−ＲＳ送信では、ＣＳＩ−ＲＳリソースの密度は、各ＲＢについてＡＰ毎に２ＲＥ（２ＲＥ／ＡＰ／ＲＢ）である。図２Ａ及び図２Ｂは、ＬＴＥ−Ａ標準に従った、２及び１ポートのＣＳＩ−ＲＳ送信用の各ＡＰにマッピングされたＲＥをそれぞれ示す図である。
【０００４】
結果として、従来のＬＴＥ標準の下での１ポートのＣＳＩ−ＲＳのＣＳＩ−ＲＳリソースの構成は、必要以上の大量のＣＳＩ−ＲＳのオーバーヘッドを生じさせることがある。例えば、ビーム選択ベースのプリコーディング方法を用いる１ポートのＣＳＩ−ＲＳ送信での送信効率は、以下で説明するように減少することがある。
【０００５】
Ｒｅｌｅａｓｅ  １３  ＬＴＥ−Ａは、クラスＢ（ｋ＞１）でのビーム選択ベースのプリコーディングをサポートする。“ｋ”はＣＳＩ−ＲＳリソース又はビームの数である。“クラス”は“ＭＩＭＯタイプ”とも称される。図３は、“ｋ”が４である場合のＣＳＩフィードバックの例示的動作を示す。図３に示すように、基地局（ＢＳ）は、４つのビームフォームド（ＢＦ）ＣＳＩ−ＲＳを送信する。ユーザ装置（ＵＥ）がＢＦ  ＣＳＩ−ＲＳを受信した場合、ＵＥは、最適なＢＦ  ＣＳＩ−ＲＳに対するインデックス（ＣＳＩ−ＲＳリソースインジケータ（ＣＲＩ））と、最適なＢＦ  ＣＳＩ−ＲＳに対応するＣＳＩフィードバック情報とをＢＳへ送信する。ＢＳは、送信ビームの角度情報を取得できるが、それは、ＢＦ  ＣＳＩ−ＲＳを１ポートを用いて送信するのに十分であってもよい。しかしながら、上述したように、１ポートのＣＳＩ−ＲＳのリソース密度は、２、４、８、１２、及び１６ポートのＣＳＩ−ＲＳのリソース密度の２倍であるので、１ポートのＣＳＩ−ＲＳ送信は効率的でないことがある。
【０００６】
さらに、ＬＴＥ−Ａ標準は、高精度のＣＳＩ推定用のゼロパワー（ＺＰ）ＣＳＩ−ＲＳスキームをサポートする。ＺＰ  ＣＳＩ−ＲＳスキームに従えば、ＺＰ  ＣＳＩ−ＲＳとして指定されたＲＥはミュートされる。このことは、ミュートされたＲＥについてのＣＳＩ推定の精度の改善を可能にする。例えば、サービングセルからはノンゼロパワー（ＮＺＰ）ＣＳＩ−ＲＳが送信されてもよく、隣接するセルからはＣＳＩ−ＲＳが送信されなくてもよい（隣接するセルにはＺＰ  ＣＳＩ−ＲＳが適用されてもよい）。従来のＺＰ  ＣＳＩ−ＲＳは、４ポートのＣＳＩ−ＲＳ構成にマッピングされたＲＥを用いて通知されてもよい。すなわち、ＺＰ  ＣＳＩ−ＲＳリソースは、４ＲＥを一単位としてのみ指定できる。結果として、過大なＺＰ  ＣＳＩ−ＲＳリソースを指定することにより、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）の送信効率は減少することがある。
【先行技術文献】
【非特許文献】
【０００７】
【非特許文献１】３ＧＰＰ，  ＴＳ  ３６．２１１  Ｖ  １３．２．０
【０００８】
【非特許文献２】３ＧＰＰ，  ＴＳ  ３６．２１３  Ｖ  １３．２．０
【発明の概要】
【０００９】
本発明の１つ以上の実施形態に従えば、無線通信方法は、ゼロパワー（ＺＰ）参照信号（ＲＳ）又は干渉測定リソース（ＩＭＲ）として動的に指定されたリソースを示す情報を基地局（ＢＳ）からユーザ装置（ＵＥ）へ送信することと、該情報を用いてＺＰ  ＲＳ又はＩＭＲをＵＥがＢＳから受信することを具備する。
【００１０】
本発明の１つ以上の実施形態に従えば、無線通信方法は、ゼロパワー（ＺＰ）参照信号（ＲＳ）又は干渉測定リソース（ＩＭＲ）を基地局（ＢＳ）からユーザ装置（ＵＥ）へ送信することを具備する。複数のリソースブロック（ＲＢ）の内の一部は、ＺＰ  ＲＳ又はＩＭＲとして指定されたリソースをそれぞれ含み、該リソースは周波数多重化される。
【００１１】
本発明の１つ以上の実施形態に従えば、無線通信方法は、チャネル状態情報参照信号（ＣＳＩ−ＲＳ）を基地局（ＢＳ）の１アンテナポートを用いてＢＳからユーザ装置へ送信することと、ＣＳＩ−ＲＳをユーザ装置（ＵＥ）が受信することを具備する。リソースブロック（ＲＢ）内のアンテナポート毎のリソース数は１である。
【００１２】
本発明の１つ以上の実施形態は、１ポートのＣＳＩ−ＲＳが送信される場合、又はより多くのＺＰ  ＣＳＩ−ＲＳ（若しくはＩＭＲ）リソースが指定される場合であっても、送信効率を改善することができる。
【図面の簡単な説明】
【００１３】
【図１Ａ】従来のＬＴＥ標準に従った、２ポートのＣＳＩ−ＲＳにマッピングされたＲＥを示す図である。
【図１Ｂ】従来のＬＴＥ標準に従った、４ポートのＣＳＩ−ＲＳにマッピングされたＲＥを示す図である。
【図１Ｃ】従来のＬＴＥ標準に従った、８ポートのＣＳＩ−ＲＳにマッピングされたＲＥを示す図である。
【図１Ｄ】従来のＬＴＥ標準に従った、１ポートのＣＳＩ−ＲＳにマッピングされたＲＥを示す図である。
【図２Ａ】従来のＬＴＥ標準に従った、２ポートのＣＳＩ−ＲＳ送信用の各ＡＰにマッピングされたＲＥを示す図である。
【図２Ｂ】従来のＬＴＥ標準に従った、１ポートのＣＳＩ−ＲＳ送信用の各ＡＰにマッピングされたＲＥを示す図である。
【図３】従来のＬＴＥ標準に従った、ビームフォームドＣＳＩ−ＲＳ及びＣＳＩフィードバックの例示的動作を示す図である。
【図４】本発明の１つ以上の実施形態に従った無線通信システムの構成を示す図である。
【図５】本発明の第１の実施例の１つ以上の実施形態に従った１ポートのＣＳＩ−ＲＳ送信のためのリソース構成を示す図である。
【図６】本発明の第１の実施例の１つ以上の実施形態に従った１ポートのＣＳＩ−ＲＳ送信のための例示的動作を示すシーケンス図である。
【図７】本発明の修正された第１の実施例の１つ以上の実施形態に従った１ポートのＣＳＩ−ＲＳ送信のためのリソース構成を示す図である。
【図８】本発明の第２の実施例の１つ以上の実施形態に従った１ポートのＣＳＩ−ＲＳ  ＡＰにマッピングされたＲＥを示す図である。
【図９】本発明の第２の実施例の１つ以上の実施形態に従った１ポートのＣＳＩ−ＲＳ送信のための例示的動作を示すシーケンス図である。
【図１０】本発明の第３の実施例の１つ以上の実施形態に従ったＣＳＩ−ＲＳ  ＡＰにマッピングされたＲＥを示す図である。
【図１１】本発明の第３の実施例の１つ以上の実施形態に従った低リソース密度でのＣＳＩ−ＲＳ送信のための例示的動作を示すシーケンス図である。
【図１２】本発明の第４の実施例の１つ以上の実施形態に従った低リソース密度でのＣＳＩ−ＲＳ送信のための例示的動作を示すシーケンス図である。
【図１３】本発明の修正された第４の実施例の１つ以上の実施形態に従った低リソース密度でのＣＳＩ−ＲＳ送信のための例示的動作を示すシーケンス図である。
【図１４】本発明の第５の実施例の１つ以上の実施形態に従ったＺＰ  ＣＳＩ−ＲＳリソースのためのリソース構成を示す図である。
【図１５】本発明の第５の実施例の１つ以上の実施形態に従ったＺＰ  ＣＳＩ−ＲＳリソースをＵＥに通知するための例示的動作を示すシーケンス図である。
【図１６】本発明の１つ以上の実施形態に従った基地局の概略的構成を示すブロック図である。
【図１７】本発明の１つ以上の実施形態に従ったユーザ装置の概略的構成を示すブロック図である。
【発明を実施するための形態】
【００１４】
以下、本発明の実施形態について、図面を参照して詳細に説明する。本発明の実施形態では、本発明のより完全な理解を提供するために、多くの具体的な詳細が記載されている。しかしながら、これらの具体的な詳細なしに本発明を実施できることは当業者には明らかであろう。他の例では、本発明を不明瞭にすることを避けるために、周知の特徴を詳細には説明していない。
【００１５】
図４は、本発明の１つ以上の実施形態に従った無線通信システム１を説明する。無線通信システム１は、ユーザ装置（ＵＥ）１０、基地局（ＢＳ）２０、及びコアネットワーク３０を含む。無線通信システム１はＬＴＥ／ＬＴＥ−Ａｄｖａｎｃｅｄ（ＬＴＥ−Ａ）システム、新たな無線（ＮＲ）、又はその他のシステムであってもよい。無線通信システム１は、本明細書に記述される特定の構成に限定されず、任意の種類の無線通信システムであってもよい。
【００１６】
基地局ＢＳ２０は、セル２１内のＵＥ１０と、上りリンク（ＵＬ）及び下りリンク（ＤＬ）の信号を通信してもよい。ＤＬ及びＵＬの信号は、制御信号及びユーザデータを含んでもよい。ＢＳ２０は、バックホールリンク３１を介してコアネットワーク３０とＤＬ及びＵＬの信号を通信してもよい。ＢＳ２０は、Ｅｖｏｌｖｅｄ  ＮｏｄｅＢ（ｅＮＢ）であってもよい。
【００１７】
ＢＳ２０は、１つ以上のアンテナ、隣接するＢＳ２０と通信するための通信インターフェース（例えば、Ｘ２インターフェース）、コアネットワーク３０と通信するための通信インターフェース（例えば、Ｓ１インターフェース）、及びＵＥ１０との送受信信号を処理するためのプロセッサ又は回路等のＣｅｎｔｒａｌ  Ｐｒｏｃｅｓｓｉｎｇ  Ｕｎｉｔ（ＣＰＵ）を具備する。ＢＳ２０の動作は、メモリに格納されたデータ及びプログラムを処理又は実行するプロセッサによって実装されてもよい。しかしながら、ＢＳ２０は、上述したハードウェア構成に限定されず、当業者に理解されるようなその他の適切なハードウェア構成によって実現されてもよい。無線通信システム１のより広いサービスエリアをカバーするように、複数のＢＳ２０が配備されてもよい。
【００１８】
ＵＥ１０は、制御情報及びユーザデータを含むＤＬ及びＵＬの信号をＢＳ２０と通信してもよい。ＵＥ１０は、移動局、スマートフォン、携帯電話、タブレット、モバイルルータ、又はウェアラブル機器等の無線通信機能を有する情報処理装置であってもよい。無線通信システム１は１つ以上のＵＥ１０を含んでもよい。
【００１９】
ＵＥ１０は、プロセッサ等のＣＰＵ、ＲＡＭ（ランダムアクセスメモリ）、フラッシュメモリ、及びＢＳ２０とＵＥ１０との間で無線信号を送受信するための無線通信装置を具備する。例えば、以下で説明するＵＥ１０の動作は、メモリに格納されたデータ及びプログラムを処理又は実行するＣＰＵによって実装されてもよい。しかしながら、ＵＥ１０は、上述したハードウェア構成に限定されず、例えば、以下で説明される処理を実現するための回路を用いて構成されてもよい。
【００２０】
本発明の１つ以上の実施形態に従えば、ＢＳ２０は、１、２、４、８、１２、又は１６のアンテナポート（ＡＰ）を用いてチャネル状態情報−参照信号（ＣＳＩ−ＲＳ）を送信してもよい。ＡＰの数は、１、２、４、８、１２、及び１６ポートに限定されず、３２ポート等、１６ポートよりも多くてもよい。ＵＥ１０がＢＳ２０からＣＳＩ−ＲＳを受信した場合、ＵＥ１０は、該ＣＳＩ−ＲＳに応答してＣＳＩフィードバックをＢＳ２０へ送信してもよい。
【００２１】
本発明の１つ以上の実施形態において、リソースエレメント（ＲＥ）はリソースの一例であってもよい。
【００２２】
本発明の１つ以上の実施形態において、ＣＳＩ−ＲＳは、参照信号（ＲＳ）の一例であってもよい。
【００２３】
（第１の実施例）
以下、本発明の第１の実施例の実施形態について、図５及び図６を参照しながら詳細に説明する。
【００２４】
従来のＬＴＥ−Ａ標準の下での２、４、８、１２、及び１６ポートのＣＳＩ−ＲＳでは、ＣＳＩ−ＲＳリソースのリソース密度は、各リソースブロック（ＲＢ）についてＡＰ毎に１ＲＥ（１ＲＥ／ＡＰ／ＲＢ）である。一方、１ポートのＣＳＩ−ＲＳでは、ＣＳＩ−ＲＳリソースの密度は、各リソースブロック（ＲＢ）についてＡＰ毎に２ＲＥ（２ＲＥ／ＡＰ／ＲＢ）である。結果として、従来のＬＴＥ−Ａ標準の下での１ポートのＣＳＩ−ＲＳの送信効率は、２、４、８、１２、及び１６ポートのＣＳＩ−ＲＳの送信効率よりも低いことがある。
【００２５】
本発明の第１の実施例の１つ以上の実施形態に従えば、１ポートのＣＳＩ−ＲＳ送信では、１ポートのＣＳＩ−ＲＳ  ＡＰに単一のＲＥが用いられてもよい。図５に示すように、本発明の第１の実施例の１つ以上の実施形態では、１ポートのＣＳＩ−ＲＳ送信のリソース密度は、２、４、８、１２、及び１６ポートのＣＳＩ−ＲＳ送信と同じリソース密度である、各リソースブロック（ＲＢ）についてＡＰ毎に１ＲＥ（１ＲＥ／ＡＰ／ＲＢ）である。したがって、ＢＳ２０は、１ポートのＣＳＩ−ＲＳ  ＡＰにマッピングされるＲＥとして、従来のＬＴＥ−Ａ標準でのＣＳＩ−ＲＳ送信に利用可能な４０ＲＥから１ＲＥを指定してもよい。
【００２６】
図６に示すように、ＢＳ２０は、１ポートのＣＳＩ−ＲＳ送信のために、４０ＲＥから１ＲＥを指定してもよく、指定したＲＥを示すＣＳＩ−ＲＳ構成情報を無線リソース制御（ＲＲＣ）シグナリング又は下位レイヤシグナリングを介してＵＥ１０へ送信してもよい（ステップＳ１０１）。そして、ＢＳ２０は、１ポートＣＳＩ−ＲＳ  ＡＰにマッピングされたＲＥを用いてＣＳＩ−ＲＳを送信してもよい（ステップＳ１０２）。ＵＥ１０は、１ＲＥのＣＳＩ−ＲＳ構成サイズを有する１ポートのＣＳＩ−ＲＳを受信してもよい。
【００２７】
したがって、本発明の第１の実施例の１つ以上の実施形態に従えば、１ポートのＣＳＩ−ＲＳ送信のリソース密度は、従来のＬＴＥ−Ａ標準におけるリソース密度よりも低くてもよい。このことは、ＣＳＩ−ＲＳのオーバーヘッドを減少させることを可能にする。結果として、１ポートのＣＳＩ−ＲＳの送信効率は改善されてもよい。
【００２８】
（修正された第１の実施例）
従来のＬＴＥ−Ａ標準の下でのＣＳＩ−ＲＳ構成では、１ポートのＣＳＩ−ＲＳ  ＡＰにマッピングされた２ＲＥが指定できる。本発明の修正された第１の実施例の１つ以上の実施形態に従えば、図７に示すように、ＢＳ２０は、従来のＣＳＩ−ＲＳ構成で１ポートのＣＳＩ−ＲＳ  ＡＰにマッピングされた２ＲＥの内の何れか１つを指定してもよい。ＢＳ２０は、従来のＣＳＩ−ＲＳ構成で指定できる２ＲＥから指定したＲＥを示す情報を送信してもよい。
【００２９】
（第２の実施例）
以下、本発明の第２の実施例の実施形態について、図８及び図９を参照しながら詳細に説明する。従来のＬＴＥ−Ａ標準では、符号分割多重化（ＣＤＭ）は、１ポートのＣＳＩ−ＲＳ送信用のＲＥには適用されない。本発明の第２の実施例の１つ以上の実施形態に従えば、１ポートのＣＳＩ−ＲＳ送信において、ＣＤＭ（直交カバーコード（ＯＣＣ））は、１ポートのＣＳＩ−ＲＳ送信用のＲＥに適用されてもよい。
【００３０】
本発明の第２の実施例の１つ以上の実施形態では、図８に示すように、１ポートのＣＳＩ−ＲＳ送信用のＲＥにＣＤＭが適用される場合、ＣＤＭのシーケンス長（ＣＤＭ長）は２であってもよい。例えば、ＣＤＭとして、１ポートのＣＳＩ−ＲＳ送信にマッピングされた２ＲＥには、１組の“［ａ，ａ］（［１，１］）”又は“［ｂ，−ｂ］（［１，−１］）”が適用されてもよい。
【００３１】
図９に示すように、ＢＳ２０は、１ポートのＣＳＩ−ＲＳ  ＡＰにマッピングされたＲＥにＣＤＭを適用してもよく、ＣＤＭとして［１，１］又は［１，−１］の何れのパラメータが適用されるかを示す情報を含むＣＳＩ−ＲＳ構成をＵＥ１０へ送信してもよい（ステップＳ２０１）。そして、ＢＳ２０は、ＣＤＭが適用されたＣＳＩ−ＲＳを１ポートを用いて送信してもよい（ステップＳ２０２）。
【００３２】
（第３の実施例）
以下、本発明の第３の実施例の実施形態について、図１０及び図１１を参照しながら詳細に説明する。本発明の第３の実施例の１つ以上の実施形態に従えば、１ポートのＣＳＩ−ＲＳ送信用のＣＳＩ−ＲＳリソースは、周波数多重化（周波数分割多重化（ＦＤＭ））されてもよい。例えば、ＲＢ番号が偶数又は奇数の何れかである、１ポートのＣＳＩ−ＲＳ  ＡＰにマッピングされたＲＥが周波数多重化されてもよい。図１０の一例では、ＲＢ番号がＲＢ＃１、＃３、及び＃５等の奇数であるＲＢの各々の１ポートのＣＳＩ−ＲＳ  ＡＰにマッピングされたＲＥが周波数多重化されてもよい。さらに、ＲＢ番号が偶数であるＲＢの各々のＲＥが周波数多重化されてもよい。
【００３３】
図１１に示すように、ＢＳ２０は、何れのＲＥが多重化されたかを示す周波数多重化情報を含むＣＳＩ−ＲＳ構成をＲＲＣシグナリングを介して送信してもよい（ステップＳ３０１）。そして、ＢＳ２０は、周波数多重化されたＣＳＩ−ＲＳをＵＥ１０へ送信してもよい（Ｓ３０２）。ＵＥ１０は、ＦＤＭを伴う１ポートのＣＳＩ−ＲＳをＲＢ単位で受信してもよい。
【００３４】
本発明の第３の実施例の１つ以上の実施形態に従えば、ＲＢ番号が偶数又は奇数の何れかである特定のＲＢ内のＲＥが周波数多重化されるので、ＣＳＩ−ＲＳ送信に対するリソース密度は減少してもよい。このことは、ＣＳＩ−ＲＳの送信効率を改善できることを可能にする。
【００３５】
さらに、本発明の第３の実施例の１つ以上の実施形態に従った周波数多重化スキームを用いるＲＥマッピング方法（低い周波数リソース密度でのＣＳＩ−ＲＳ送信）は、１ポートのＣＳＩ−ＲＳ送信だけでなく、１ポートのＣＳＩ−ＲＳ送信以外のＣＳＩ−ＲＳ送信にも適用されてもよい。
【００３６】
さらに、本発明の第３の実施例の１つ以上の実施形態に従った周波数多重化スキームを用いるＲＥマッピング方法と従来のＲＥマッピング方法とはＢＳ２０において切り換えられてもよい。例えば、ＢＳ２０は、低リソース密度でのＣＳＩ−ＲＳ送信と、ＬＴＥ−Ａ標準の下でのＣＳＩ−ＲＳ送信との切り換えを示す情報をＲＲＣシグナリングを用いてＵＥ１０に通知してもよい。
【００３７】
（第４の実施例）
以下、本発明の第４の実施例の実施形態について、図１２を参照しながら詳細に説明する。本発明の第４の実施例の１つ以上の実施形態に従えば、従来のＬＴＥ−Ａ標準で定義される単一のＣＳＩ−ＲＳリソースは、複数のＣＳＩ−ＲＳリソースとみなされてもよい。
【００３８】
例えば、本発明の第４の実施例の１つ以上の実施形態では、ＢＳ２０が８ポートを用いてＣＳＩ−ＲＳを送信してもよい場合、８ポートのＣＳＩ−ＲＳリソースは、４つの２ポートのＣＳＩ−ＲＳリソースとみなされてもよい。このケースでは、図１２に示すように、ＢＳ２０は、単一のＣＳＩ−ＲＳリソース（例えば、８ポートのＣＳＩ−ＲＳリソース）とグループ数（例えば、“４”）とをＲＲＣシグナリングを介してＵＥ１０に通知してもよい（ステップＳ４０１）。グループ数は、単一のＣＳＩ−ＲＳリソースを構成する複数のＣＳＩ−ＲＳリソースの数である。そして、ＢＳ２０はＣＳＩ−ＲＳを送信してもよい（ステップＳ４０２）。
【００３９】
ＵＥ１０は、単一のＣＳＩ−ＲＳリソースとグループ数とを示す情報を含むＣＳＩ−ＲＳ構成に基づいて、ＣＳＩ−ＲＳを受信してもよい（ステップＳ４０３）。例えば、単一のＣＳＩ−ＲＳリソースが８ポートのＣＳＩ−ＲＳリソースであり、グループ数が４である場合、ＵＥ１０は、単一のＣＳＩ−ＲＳリソースは４つの２ポートのＣＳＩ−ＲＳリソースからなるとみなしてもよい。したがって、単一のＣＳＩ−ＲＳリソースを構成する複数のＣＳＩ−ＲＳリソースは、グループ数を用いて予約（ｒｅｓｅｒｖｅｄ）されてもよい。
【００４０】
さらに、本発明の第４の実施例の１つ以上の実施形態に従った周波数多重化スキームを用いるＲＥマッピング方法と従来のＲＥマッピング方法とは、ＢＳ２０において切り換えられてもよい。例えば、ＢＳ２０は、低リソース密度でのＣＳＩ−ＲＳ送信と従来のＬＴＥ−Ａ標準の下でのＣＳＩ−ＲＳ送信との切り換えを示す情報をＲＲＣシグナリングを用いてＵＥ１０に通知してもよい。
【００４１】
本発明の修正された第４の実施例の１つ以上の実施形態に従えば、複数のＣＳＩ−ＲＳリソースは、単一のＣＳＩ−ＲＳリソースとグループ毎のＡＰ数とを示す情報に基づいて予約されてもよい。
【００４２】
例えば、本発明の修正された第４の実施例の１つ以上の実施形態では、ＢＳ２０が８ＡＰを用いてＣＳＩ−ＲＳを送信してもよい場合、８ポートのＣＳＩ−ＲＳリソースは、４つの２ポートのＣＳＩ−ＲＳリソースとみなされてもよい。このケースでは、図１３に示すように、ＢＳ２０は、単一のＣＳＩ−ＲＳリソース（例えば、８ポートのＣＳＩ−ＲＳリソース）とグループ毎のＡＰ数（例えば、“２”）とをＲＲＣシグナリングを介してＵＥ１０に通知してもよい（ステップＳ４０１ａ）。そして、ＢＳ２０はＣＳＩ−ＲＳを送信してもよい（ステップＳ４０２ａ）。
【００４３】
ＵＥ１０は、単一のＣＳＩ−ＲＳリソースとグループ毎のＡＰ数とを示す情報を含むＣＳＩ−ＲＳ構成に基づいて、ＣＳＩ−ＲＳを受信してもよい（ステップＳ４０３ａ）。例えば、単一のＣＳＩ−ＲＳリソースが８ポートのＣＳＩ−ＲＳリソースであり、グループ毎のＡＰ数が２である場合、ＵＥ１０は、単一のＣＳＩ−ＲＳリソースは４つの２ポートのＣＳＩ−ＲＳリソースからなるとみなしてもよい。したがって、単一のＣＳＩ−ＲＳリソースを構成する複数のＣＳＩ−ＲＳリソースは、グループ毎のＡＰ数を用いて予約されてもよい。
【００４４】
（第５の実施例）
以下、本発明の第５の実施例の実施形態について、図１４及び図１５を参照しながら詳細に説明する。
【００４５】
ＬＴＥ−Ａ標準は、高精度のＣＳＩ推定用のゼロパワー（ＺＰ）ＣＳＩ−ＲＳスキームをサポートする。しかしながら、従来のＺＰ  ＣＳＩ−ＲＳは、４ポートのＣＳＩ−ＲＳ構成にマッピングされたＲＥを用いて通知されることがある。すなわち、ＺＰ  ＣＳＩ−ＲＳリソースは、４ＲＥを一単位としてのみ指定できる。結果として、物理下りリンク共有チャネル（ＰＤＳＣＨ）の送信効率は、過大なＺＰ  ＣＳＩ−ＲＳリソースを指定することにより減少することがある。
【００４６】
本発明の第５の実施例の１つ以上の実施形態に従えば、ＢＳ２０は、ＺＰ  ＣＳＩ−ＲＳ（ＺＰ  ＲＳ）又は干渉測定リソース（ＩＭＲ）として動的に指定されたリソースを示す情報をＵＥ１０へ送信してもよい。ＵＥ１０は、該情報を用いてＺＰ  ＲＳ又はＩＭＲをＢＳ１０から受信してもよい。本発明の第５の実施例の１つ以上の実施形態では、ＺＰ  ＣＳＩ−ＲＳリソースは、１ＲＥを一単位として指定されてもよい。例えば、１ＲＥを一単位としたＺＰ  ＣＳＩ−ＲＳリソースは、（本発明の第１の実施例の実施形態のように低リソース密度の）１ポートのＣＳＩ−ＲＳにマッピングされたＲＥの構成に基づいて通知されてもよい。例えば、図１４に示すように、各ＲＥのＺＰ  ＣＳＩ−ＲＳリソースは、１ポートのＣＳＩ−ＲＳにマッピングされたＲＥの構成に基づいたビットマップ（ビットマップフォーマット）として通知されてもよい。図１４では、１ポートのＣＳＩ−ＲＳ送信に利用可能なＲＥの数は４０である。
【００４７】
図１５に示すように、ＢＳ２０は、ＲＲＣシグナリング等の上位レイヤシグナリング、並びに／又は下りリンク制御情報（ＤＣＩ）若しくは媒体アクセス制御（ＭＡＣ）制御エレメント（ＣＥ）を用いる下位レイヤシグナリングを介して、１ポートのＣＳＩ−ＲＳにマッピングされたＲＥの構成に基づいた各ＲＥのＺＰ  ＣＳＩ−ＲＳリソースをＵＥ１０に通知してもよい（ステップＳ５０１）。そして、ＢＳ２０はＣＳＩ−ＲＳを送信してもよい（ステップＳ５０２）。例えば、ＺＰ  ＣＳＩ−ＲＳに用いられるＲＥは、ＲＲＣシグナリング等の上位レイヤシグナリング及び／又はＤＣＩフォーマットを用いる下位レイヤシグナリングを用いて切り換えられてもよい。
【００４８】
結果として、本発明の第５の実施例の１つ以上の実施形態に従えば、より多くのＺＰ  ＣＳＩ−ＲＳが指定されたとしても、ＰＤＳＣＨの送信効率を改善するのに有利であってもよい。
【００４９】
（修正された第５の実施例）
本発明の修正された第５の実施例の１つ以上の実施形態に従えば、２ＲＥを一単位としたＺＰ  ＣＩＳ−ＲＳリソースは、２ポートのＣＳＩ−ＲＳ構成にマッピングされたＲＥに基づいて通知されてもよい。すなわち、ＺＰ  ＣＳＩ−ＲＳリソースは、２ＲＥを一単位として指定されてもよい。ＺＰ  ＣＳＩ−ＲＳリソースは、ビットマップフォーマットとして示されてもよい。ＺＰ  ＣＳＩ−ＲＳリソースは、複数のＣＳＩ−ＲＳリソースがＢＳの２アンテナポートにマッピングされる２ポートのＣＳＩ−ＲＳマッピング構成において用いられる４０のリソースから指定されてもよい。
【００５０】
本発明の修正された第５の実施例の１つ以上の実施形態に従えば、（４ＲＥを一単位とする）従来のＺＰ  ＣＳＩ−ＲＳリソースをＵＥ１０に通知するための方法と、本発明の第５の実施例の実施形態に従った方法とは、ＲＲＣシグナリング等の上位レイヤシグナリング及び／又はＤＣＩフォーマットを用いる下位レイヤシグナリングを用いて切り換えられてもよい。
【００５１】
本発明の修正された第５の実施例の１つ以上の実施形態に従えば、ＺＰ  ＣＳＩ−ＲＳリソースは周波数多重化されてもよい。例えば、図１０の一例では、ＺＰ  ＣＳＩ−ＲＳ（又はＩＭＲ）としてＲＥ“ａ”が指定された場合、複数のＲＥの内の一部（ＲＥ＃１、＃３、及び＃５）が周波数多重化されてもよい。ＺＰ  ＣＳＩ−ＲＳとして指定されたＲＥ“ａ”は、ＺＰ  ＣＳＩ−ＲＳリソースであってもよい。例えば、ＺＰ  ＣＳＩ−ＲＳリソースを含む複数のＲＢの内の一部のＲＢ番号は偶数又は奇数の何れかであってもよい。さらに、ＺＰ  ＣＳＩ−ＲＳリソースを含む複数のＲＢの内の一部を示す周波数多重化情報は、ＲＲＣシグナリングを介してＢＳからＵＥに通知されてもよい。
【００５２】
別の実施例では、本発明の第５の実施例の実施形態に従ったＺＰ  ＣＳＩ−ＲＳリソースは、干渉測定リソース（ＩＭＲ）として用いられてもよい。
【００５３】
（基地局の構成）
以下、本発明の１つ以上の実施形態に従ったＢＳ２０について、図１６を参照しながら説明する。図１６は、本発明の１つ以上の実施形態に従ったＢＳ２０の概略的構成を説明する図である。ＢＳ２０は、複数のアンテナ２０１、増幅器２０２、送受信部（送信部／受信部）２０３、ベースバンド信号処理部２０４、呼処理部２０５、及び伝送路インターフェース２０６を具備する。
【００５４】
ＢＳ２０からＵＥ２０へＤＬ上で送信されたユーザデータは、コアネットワーク３０から伝送路インターフェース２０６を通じてベースバンド信号処理部２０４に入力される。
【００５５】
ベースバンド信号処理部２０４では、信号に対して、ＰＤＣＰ（Ｐａｃｋｅｔ  Ｄａｔａ  Ｃｏｎｖｅｒｇｅｎｃｅ  Ｐｒｏｔｏｃｏｌ）レイヤ処理、ユーザデータの分割・結合及びＲＬＣ再送制御送信処理等のＲＬＣ（Ｒａｄｉｏ  Ｌｉｎｋ  Ｃｏｎｔｒｏｌ）レイヤ送信処理、例えばＨＡＲＱ送信処理を含む媒体アクセス制御（ＭＡＣ）再送制御、スケジューリング、トランスポートフォーマット選択、チャネルコーディング、逆高速フーリエ変換（ＩＦＦＴ）処理、プリコーディング処理等の処理を行う。そして、得られた信号は各送受信部２０３へ転送される。ＤＬ制御チャネルの信号は、チャネルコーディング及び逆高速フーリエ変換を含む送信処理が実施され、得られた信号は各送受信部２０３へ送信される。
【００５６】
ベースバンド信号処理部２０４は、セル内の通信用の制御情報（システム情報）を上位レイヤシグナリング（例えば、ＲＲＣシグナリング及び報知チャネル）により各ＵＥ１０に通知する。セル内の通信用の情報には、例えば、ＵＬ又はＤＬのシステム帯域幅が含まれる。
【００５７】
各送受信部２０３において、アンテナ毎にプリコードされ、ベースバンド信号処理部２０４から出力されたベースバンド信号は、周波数変換処理されて無線周波数帯域に変換される。増幅器２０２は、周波数変換された無線周波信号を増幅し、得られた信号は、アンテナ２０１から送信される。
【００５８】
ＵＥ１０からＢＳ２０へＵＬ上で送信されるデータは、無線周波数信号が各アンテナ２０１で受信され、増幅器２０２で増幅され、送受信部２０３において周波数変換されてベースバンド信号に変換され、ベースバンド信号処理部２０４に入力される。
【００５９】
ベースバンド信号処理部２０４は、受信したベースバンド信号に含まれるユーザデータに対して、ＦＦＴ処理、ＩＤＦＴ処理、誤り訂正復号、ＭＡＣ再送制御受信処理、並びにＲＬＣレイヤ及びＰＤＣＰレイヤ受信処理を行う。そして、得られた信号は伝送路インターフェース２０６を介してコアネットワーク３０へ転送される。呼処理部２０５は、通信チャネルの設定及び解除、ＢＳ２０の状態管理、並びに無線リソースの管理等の呼処理を実施する。
【００６０】
（ユーザ装置の構成）
以下、図１７を参照して、本発明の１つ以上の実施形態に従ったＵＥ１０について説明する。図１７は、本発明の１つ以上の実施形態に従ったＵＥ１０の概略的構成である。ＵＥ１０は、複数のＵＥアンテナ１０１、増幅器１０２、送受信部（送信部／受信部）１０３１を具備する回路１０３、コントローラ１０４、及びアプリケーション部１０５を具備する。
【００６１】
ＤＬに関して、ＵＥアンテナ１０１で受信された無線周波数信号は、個別の増幅器１０２で増幅され、送受信部１０３１においてベースバンド信号に周波数変換される。これらのベースバンド信号には、コントローラ１０４において、ＦＦＴ処理、誤り訂正復号、及び再送制御等の受信処理がなされる。ＤＬユーザデータは、アプリケーション部１０５へ転送される。アプリケーション部１０５は、物理レイヤ及びＭＡＣレイヤよりも上の上位レイヤに関連する処理を実施する。下りデータでは、報知情報もアプリケーション１０５へ転送される。
【００６２】
一方、ＵＬユーザデータは、アプリケーション部１０５からコントローラ１０４に入力される。コントローラ１０４では、再送制御（Ｈｙｂｒｉｄ  ＡＲＱ）送信処理、チャネル符号化、プリコーディング、ＤＦＴ処理、ＩＦＦＴ処理等が実施され、得られた信号は各送受信部１０３１へ転送される。送受信部１０３１では、コントローラ１０４から出力されたベースバンド信号が無線周波数帯に変換される。その後、周波数変換された無線周波信号は、増幅器１０２で増幅され、その後、送受信アンテナ１０１から送信される。
【００６３】
（別の実施例）
本発明の１つ以上の実施形態は、上りリンク及び下りリンクの各々に独立して用いられてもよい。本発明の１つ以上の実施形態は、上りリンク及び下りリンクの各々に共通して用いられてもよい。
【００６４】
本開示は、ＬＴＥ／ＬＴＥ−Ａに基づくチャネル及びシグナリングスキームの例を主に説明したが、本発明はそれらに限定されない。本発明の１つ以上の実施形態は、ＬＴＥ／ＬＴＥ−Ａ、新たな無線（ＮＲ）、新たに定義されたチャネル及びシグナリングスキームと同じ機能を有する別のチャネル及びシグナリングスキームに適用してもよい。
【００６５】
本開示は、ＣＳＩ−ＲＳに基づくチャネル推定及びＣＳＩフィードバックの例を主に説明したが、本発明はそれらに限定されない。本発明の１つ以上の実施形態は、別の同期信号、参照信号、及び物理チャネルに適用されてもよい。
【００６６】
本開示は、様々なシグナリング方法の例を主に説明したが、本発明の１つ以上の実施形態に従ったシグナリングは、ＲＲＣシグナリング等の上位レイヤシグナリング及び／又はＤＣＩ等の下位レイヤシグナリングであってもよい。さらに、本発明の１つ以上の実施形態に従ったシグナリングは、ＭＡＣ−ＣＥを用いてもよい。
【００６７】
本開示は、様々なシグナリング方法の例を主に説明したが、本発明の１つ以上の実施形態に従ったシグナリングは、明示的に又は黙示的に実施されてもよい。
【００６８】
本開示は、平面アンテナを具備するＵＥの例を主に説明したが、本開示はそれに限定されない。本開示の１つ以上の実施形態はまた、一次元アンテナ及び所定の三次元アンテナを具備するＵＥに適用されてもよい。
【００６９】
本発明の１つ以上の実施形態では、本開示におけるリソースブロック（ＲＢ）及びサブキャリアは相互に置き換えられてもよい。サブフレーム及びシンボルは相互に置き換えられてもよい。
【００７０】
本発明の１つ以上の実施形態では、ビームフォーミングはＣＳＩ−ＲＳに適用されてもよく、適用されなくてもよい。
【００７１】
上記の実施例及び修正された実施例は相互に組み合されてもよく、これらの実施例の様々な特徴は様々な組み合わせで相互に組み合されてもよい。発明は、本明細書に開示された特定の実施形態に限定されない。
【００７２】
本開示は限定された数の実施形態に関してのみ記載されたが、本開示の利益を有する当業者は、本発明の範囲から逸脱することなく様々な他の実施形態が考案され得ることを理解するであろう。したがって、本発明の範囲は、添付の特許請求の範囲によってのみ限定されるべきである。
【符号の説明】
【００７３】
１  無線通信システム
１０  ユーザ装置（ＵＥ）
１０１  アンテナ
１０２  増幅器
１０３  回路
１０３１  送受信部（送信部／受信部）
１０４  コントローラ
１０５  アプリケーション部
１０６  スイッチ
２０  基地局（ＢＳ）
２０１  アンテナ
２０２  増幅器
２０３  送受信部（送信部／受信部）
２０４  ベースバンド信号処理部
２０５  呼処理部
２０６  伝送路インターフェース
【図１Ａ】
2020503708.tif 000003
【図１Ｂ】
2020503708.tif 000004
【図１Ｃ】
2020503708.tif 000005
【図１Ｄ】
2020503708.tif 000006
【図２Ａ】
2020503708.tif 000007
【図２Ｂ】
2020503708.tif 000008
【図３】
2020503708.tif 000009
【図４】
2020503708.tif 000010
【図５】
2020503708.tif 000011
【図６】
2020503708.tif 000012
【図７】
2020503708.tif 000013
【図８】
2020503708.tif 000014
【図９】
2020503708.tif 000015
【図１０】
2020503708.tif 000016
【図１１】
2020503708.tif 000017
【図１２】
2020503708.tif 000018
【図１３】
2020503708.tif 000019
【図１４】
2020503708.tif 000020
【図１５】
2020503708.tif 000021
【図１６】
2020503708.tif 000022
【図１７】
2020503708.tif 000023
【国際調査報告】
2020503708.tif 000024
2020503708.tif 000025
2020503708.tif 000026
2020503708.tif 000027